【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
レーザ光を出射する光源と、
前記光源から出射された前記レーザ光を２次元方向に走査する走査部と、
前記走査部で走査された前記レーザ光からなる走査光をユーザの眼球の網膜に投射して、前記網膜に画像を投影する投射ミラーと、を備え、
前記光源から出射された前記レーザ光は、前記走査部が駆動する範囲の一部を用いて走査されることを特徴とする画像投影装置。
【請求項２】
前記ユーザが第１方向を見た場合に、前記投射ミラーにおいて前記走査部が駆動する範囲に相当する範囲と、前記ユーザが前記第１方向とは異なる第２方向を見た場合に、前記投射ミラーにおいて前記走査部が駆動する範囲に相当する範囲と、は同じ範囲であり、
前記レーザ光は、前記ユーザが前記第１方向を見た場合には、前記走査部が駆動する範囲の一部の領域で走査され、前記ユーザが前記第２方向を見た場合には、前記走査部が駆動する範囲の他の一部の領域で走査されることを特徴とする請求項１記載の画像投影装置。
【請求項３】
前記走査光は、前記ユーザの眼球の側方から前記ユーザの眼球の前方に配置された前記投射ミラーに入射され、
入力された画像データを、前記投射ミラーの上下方向に相当する１組の縦辺のうち前記投射ミラーに対して前記走査光が入射する側に相当する一方の縦辺から反対側の他方の縦辺にかけて画像の高さを直線的に徐々に小さくし且つ前記画像の高さ方向における中央部が前記一方の縦辺側に湾曲する大きさを前記一方の縦辺から前記他方の縦辺にかけて徐々に大きくした補正画像データに補正し、前記補正画像データに基づいて前記光源から前記レーザ光を出射させる制御部を備えることを特徴とする請求項１または２記載の画像投影装置。
【請求項４】
前記走査光は、前記ユーザの眼球の側方から前記ユーザの眼球の前方に配置された前記投射ミラーに入射され、
前記走査部の走査振幅は、水平方向の走査振幅が垂直方向で徐々に変化する前記走査部を回転させて用いることで、前記投射ミラーの上下方向に相当する方向の前記走査振幅が前記投射ミラーの左右方向のうち前記投射ミラーに対して前記レーザ光が入射する側から反対側に相当する方向で徐々に小さくなり、
入力された画像データを回転させ且つ前記投射ミラーの上下方向に相当する１組の縦辺のうち前記投射ミラーに対して前記走査光が入射する側に相当する一方の縦辺から反対側の他方の縦辺にかけて前記画像の高さ方向における中央部が前記一方の縦辺側に湾曲する大きさを徐々に大きくした補正画像データに補正し、前記補正画像データに基づいて前記光源から前記レーザ光を出射させる制御部を備えることを特徴とする請求項１または２記載の画像投影装置。
【請求項５】
前記走査光は、前記投射ミラーによって前記ユーザの眼球の瞳孔よりも網膜側に収束することを特徴とする請求項１から４のいずれか一項記載の画像投影装置。
【請求項６】
前記投射ミラーは、自由曲面と回折面との合成構造を有することを特徴とする請求項１から５のいずれか一項記載の画像投影装置。
【請求項７】
前記走査部と前記投射ミラーとの間の前記走査光の光路に、前記走査光内のレーザ光を前記投射ミラーに発散光で入射させる光学手段を備え、
前記走査光内のレーザ光は、前記走査部から前記投射ミラーから離れる方向に進行した後、前記光学手段で反射されて、前記投射ミラーに発散光で入射することを特徴とする請求項１から６のいずれか一項記載の画像投影装置。
【請求項８】
前記投射ミラーで投射された前記走査光内のレーザ光は、前記ユーザの眼球の水晶体によって前記眼球の網膜近傍に集光される光線で前記眼球に入射されることを特徴とする請求項７記載の画像投影装置。
【請求項９】
レーザ光を出射する光源と、
前記光源から出射された前記レーザ光を２次元方向に走査する走査部と、
前記走査部で走査された前記レーザ光からなる走査光をユーザの眼球の瞳孔近傍に収束させた後、前記ユーザの眼球の網膜に投射して、前記網膜に画像を投影する投射ミラーと、
前記走査部と前記投射ミラーとの間の前記走査光の光路に、前記走査光内のレーザ光を前記投射ミラーに発散光で入射させる光学手段と、を備え、
前記走査光内のレーザ光は、前記走査部から前記投射ミラーから離れる方向に進行した後、前記光学手段で反射されて、前記投射ミラーに発散光で入射することを特徴とする画像投影装置。
【請求項１０】
前記投射ミラーで投射された前記走査光内のレーザ光は、前記ユーザの眼球の水晶体によって前記眼球の網膜近傍に集光される光線で前記眼球に入射されることを特徴とする請求項９記載の画像投影装置。
【請求項１１】
前記投射ミラーは、前記ユーザの眼球の前方に配置されたメガネのレンズを含み、
前記レンズは、前記ユーザの眼球側から順に配置された第１レンズ部及び第２レンズ部と、前記第１レンズ部と前記第２レンズ部との間に設けられた回折素子と、を含み、
前記レーザ光からなる走査光は、前記ユーザの眼球側から前記第１レンズ部に入射した後、前記第２レンズ部の前記ユーザの眼球とは反対側の面で反射されて、前記ユーザの眼球の網膜に投射されることを特徴とする請求項１から１０のいずれか一項記載の画像投影装置。
【請求項１２】
レーザ光を出射する光源と、
ユーザの眼球の前方に配置されたメガネのレンズを含み、前記レーザ光を前記ユーザの眼球に投射する投射ミラーと、を備え、
前記レンズは、前記ユーザの眼球側から順に配置された第１レンズ部及び第２レンズ部と、前記第１レンズ部と前記第２レンズ部との間に設けられた回折素子と、を含み、
前記レーザ光は、前記ユーザの眼球側から前記第１レンズ部に入射した後、前記第２レンズ部の前記ユーザの眼球とは反対側の面で反射されて、前記ユーザの眼球に投射されることを特徴とする投射装置。
【手続補正２】
【補正対象書類名】明細書
【補正対象項目名】０００８
【補正方法】変更
【補正の内容】
【０００８】
上記構成において、前記ユーザが第１方向を見た場合に、前記投射ミラーにおいて前記走査部が駆動する範囲に相当する範囲と、前記ユーザが前記第１方向とは異なる第２方向を見た場合に、前記投射ミラーにおいて前記走査部が駆動する範囲に相当する範囲と、は同じ範囲であり、前記レーザ光は、前記ユーザが前記第１方向を見た場合には、前記走査部が駆動する範囲の一部の領域で走査され、前記ユーザが前記第２方向を見た場合には、前記走査部が駆動する範囲の他の一部の領域で走査される構成とすることができる。
【手続補正３】
【補正対象書類名】明細書
【補正対象項目名】０００９
【補正方法】変更
【補正の内容】
【０００９】
上記構成において、前記走査光は、前記ユーザの眼球の側方から前記ユーザの眼球の前方に配置された前記投射ミラーに入射され、入力された画像データを、前記投射ミラーの上下方向に相当する１組の縦辺のうち前記投射ミラーに対して前記走査光が入射する側に相当する一方の縦辺から反対側の他方の縦辺にかけて画像の高さを直線的に徐々に小さくし且つ前記画像の高さ方向における中央部が前記一方の縦辺側に湾曲する大きさを前記一方の縦辺から前記他方の縦辺にかけて徐々に大きくした補正画像データに補正し、前記補正画像データに基づいて前記光源から前記レーザ光を出射させる制御部を備える構成とすることができる。
【手続補正４】
【補正対象書類名】明細書
【補正対象項目名】００１０
【補正方法】変更
【補正の内容】
【００１０】
上記構成において、前記走査光は、前記ユーザの眼球の側方から前記ユーザの眼球の前方に配置された前記投射ミラーに入射され、前記走査部の走査振幅は、水平方向の走査振幅が垂直方向で徐々に変化する前記走査部を回転させて用いることで、前記投射ミラーの上下方向に相当する方向の前記走査振幅が前記投射ミラーの左右方向のうち前記投射ミラーに対して前記レーザ光が入射する側から反対側に相当する方向で徐々に小さくなり、入力された画像データを回転させ且つ前記投射ミラーの上下方向に相当する１組の縦辺のうち前記投射ミラーに対して前記走査光が入射する側に相当する一方の縦辺から反対側の他方の縦辺にかけて前記画像の高さ方向における中央部が前記一方の縦辺側に湾曲する大きさを徐々に大きくした補正画像データに補正し、前記補正画像データに基づいて前記光源から前記レーザ光を出射させる制御部を備える構成とすることができる。
【手続補正５】
【補正対象書類名】明細書
【補正対象項目名】００１２
【補正方法】変更
【補正の内容】
【００１２】
上記構成において、前記投射ミラーは、自由曲面と回折面との合成構造を有する構成とすることができる。
【手続補正６】
【補正対象書類名】明細書
【補正対象項目名】００１３
【補正方法】変更
【補正の内容】
【００１３】
上記構成において、前記走査部と前記投射ミラーとの間の前記走査光の光路に、前記走査光内のレーザ光を前記投射ミラーに発散光で入射させる光学手段を備え、前記走査光内のレーザ光は、前記走査部から前記投射ミラーから離れる方向に進行した後、前記光学手段で反射されて、前記投射ミラーに発散光で入射する構成とすることができる。
【手続補正７】
【補正対象書類名】明細書
【補正対象項目名】００１５
【補正方法】変更
【補正の内容】
【００１５】
本発明は、レーザ光を出射する光源と、前記光源から出射された前記レーザ光を２次元方向に走査する走査部と、前記走査部で走査された前記レーザ光からなる走査光をユーザの眼球の瞳孔近傍に収束させた後、前記ユーザの眼球の網膜に投射して、前記網膜に画像を投影する投射ミラーと、前記走査部と前記投射ミラーとの間の前記走査光の光路に、前記走査光内のレーザ光を前記投射ミラーに発散光で入射させる光学手段と、を備え、前記走査光内のレーザ光は、前記走査部から前記投射ミラーから離れる方向に進行した後、前記光学手段で反射されて、前記投射ミラーに発散光で入射することを特徴とする画像投影装置である。本発明によれば、ユーザに良好な画像を提供することができる。